(57)【特許請求の範囲】
【請求項１】
使用者の身体に取り付けられ、使用者に低周波パルス電流を供給するパッドであって、パッド側電極部を有するパッドと、
前記パッドを保持するホルダと、
前記ホルダに取り付けられる本体部であって、前記パッド側電極部に対して導通されて低周波パルス電流を供給する本体部側電極部を有する本体部と、を備えた低周波治療器において、
前記ホルダと前記本体部とは、両者間に前記パッドを位置させる所定間隔の隙間を空けて係合し、
前記パッド側電極部と前記本体部側電極部とは、前記所定間隔の隙間にて当接することで前記導通がなされ、
前記パッド側電極部と前記本体部側電極部とのうち少なくとも一方の電極部は、他方の電極部に対して接近及び離反方向に移動可能とされ、かつ、接近方向に付勢されており、
前記一方の電極部は、前記移動可能な範囲の途中で前記導通がなされることを特徴とし、
前記ホルダは、
自身の上面で前記パッドを保持するパッド保持部と、
前記パッド側電極部に対して前記本体部側電極部が配置される側とは反対側に配置され、前記パッド保持部に対して出退可能な押さえ部と、
前記押さえ部を前記パッド保持部からの突出方向に付勢する付勢部と、を有する、
低周波治療器。
【請求項２】
前記ホルダが不導体からなる、請求項１に記載の低周波治療器。
【請求項３】
使用者の身体に取り付けられ、使用者に低周波パルス電流を供給するパッドであって、パッド側電極部を有するパッドと、
前記パッドを保持するホルダと、を備えた低周波治療器で、
前記ホルダに取り付けられる本体部であって、前記パッド側電極部に対して導通されて低周波パルス電流を供給する本体部側電極部を有する、低周波治療器用の本体部において、
前記本体部は前記ホルダに対し、両者間に前記パッドを位置させる所定間隔の隙間を空けて係合し、
前記本体部側電極部は前記パッド側電極部に対し、前記所定間隔の隙間にて当接することで前記導通がなされ、
前記本体部側電極部は前記パッド側電極部に対して接近及び離反方向に移動可能とされ、かつ、接近方向に付勢されており、前記移動可能な範囲の途中で前記導通がなされることを特徴とし、
前記ホルダは、
自身の上面で前記パッドを保持するパッド保持部と、
前記パッド側電極部に対して前記本体部側電極部が配置される側とは反対側に配置され、前記パッド保持部に対して出退可能な押さえ部と、
前記押さえ部を前記パッド保持部からの突出方向に付勢する付勢部と、を有する、
低周波治療器用の本体部。
【請求項４】
使用者の身体に取り付けられ、使用者に低周波パルス電流を供給するパッドであって、パッド側電極部を有する、低周波治療器用のパッドにおいて、
前記パッドはホルダにより保持され、
前記ホルダには本体部が取り付けられ、前記本体部は、前記パッド側電極部に対して導通されて低周波パルス電流を供給する本体部側電極部を有し、
前記ホルダと前記本体部とは、両者間に前記パッドを位置させる所定間隔の隙間を空けて係合し、
前記パッド側電極部と前記本体部側電極部とは、前記所定間隔の隙間にて当接することで前記導通がなされ、
前記パッド側電極部と前記本体部側電極部とのうち少なくとも一方の電極部は、他方の電極部に対して接近及び離反方向に移動可能とされ、かつ、接近方向に付勢されており、
前記一方の電極部は、前記移動可能な範囲の途中で前記導通がなされ、
前記本体部側電極部は、先端部が前記パッド側電極部に対して当接することにより前記導通がなされ、
前記パッド側電極部は面状の導体からなることを特徴とし、
前記ホルダは、
自身の上面で前記パッドを保持するパッド保持部と、
前記パッド側電極部に対して前記本体部側電極部が配置される側とは反対側に配置され、前記パッド保持部に対して出退可能な押さえ部と、
前記押さえ部を前記パッド保持部からの突出方向に付勢する付勢部と、を有する、
低周波治療器用のパッド。
【請求項５】
使用者の身体に取り付けられ、使用者に低周波パルス電流を供給するパッドであって、パッド側電極部を有するパッドと、前記パッドを保持するホルダとからなる、低周波治療器用のパッドとホルダの組み合わせにおいて、
前記ホルダには本体部が取り付けられ、前記本体部は、前記パッド側電極部に対して導通されて低周波パルス電流を供給する本体部側電極部を有し、
前記ホルダと前記本体部とは、両者間に前記パッドを位置させる所定間隔の隙間を空けて係合し、
前記パッド側電極部と前記本体部側電極部とは、前記所定間隔の隙間にて当接することで前記導通がなされ、
前記パッド側電極部と前記本体部側電極部とのうち少なくとも一方の電極部は、他方の電極部に対して接近及び離反方向に移動可能とされ、かつ、接近方向に付勢されており、
前記一方の電極部は、前記移動可能な範囲の途中で前記導通がなされ、
前記本体部は、前記ホルダに対して平面視にて回動させることで該ホルダから取り外すことができ、
前記ホルダは、前記取り付けの状態にて前記本体部の回動を規制する回動規制部を備え、
前記パッド側電極部は、前記本体部が前記回動規制部により回動を規制された位置にある場合には前記導通がなされ、回動を規制された位置にない場合には、前記パッド側電極部と前記本体部側電極部とが離れることにより、前記導通がなされないように形成されたことを特徴とし、
前記ホルダは、
自身の上面で前記パッドを保持するパッド保持部と、
前記パッド側電極部に対して前記本体部側電極部が配置される側とは反対側に配置され、前記パッド保持部に対して出退可能な押さえ部と、
前記押さえ部を前記パッド保持部からの突出方向に付勢する付勢部と、を有する、
低周波治療器用のパッドとホルダの組み合わせ。
【請求項６】
前記ホルダが不導体からなる、請求項５に記載の低周波治療器用のパッドとホルダの組み合わせ。
【発明の詳細な説明】
【技術分野】
【０００１】
本発明は、低周波治療器に関するものである。
【背景技術】
【０００２】
従来、導電層を有するパッドを使用者の身体に取り付けて、身体に低周波パルス電流を供給することで、使用者の肩凝りをほぐす等の治療を行う低周波治療器が存在する（特許文献１参照）。
【０００３】
特許文献１に記載の低周波治療器は、ホルダ（特許文献１における「下半部分」）に対し、パッド（同「電極パッド」）を挟んだ状態で本体部（同「上半部分」）が取り付けられる。パッドへの通電は、ホルダに設けられた端子が本体部とパッドとに電気的に接続されることでなされる。
【０００４】
ホルダと本体部との電気的な接続は、ホルダから隆起して設けられた電極部（特許文献１における「接続端子」）に、本体部に設けられた電極部（同「接続端子」）が接触することによりなされる。
【０００５】
ところがこの構成では、ホルダ側の電極部と本体部側の電極部とが単に接触するだけで電気的な接続がなされている。そして、上記接触は、ホルダと本体部との凹凸嵌合により保たれている。このため、例えば上記凹凸嵌合に緩みが生じた場合、接続不良が発生する結果、パッドへの通電が不安定になることがある。
【０００６】
このように、特許文献１に記載の低周波治療器は、パッドへの通電が不安定となる場合があった点で改善の余地があった。
【先行技術文献】
【特許文献】
【０００７】
【特許文献１】特開平６−３３９５３１号公報（図３、図４）
【発明の概要】
【発明が解決しようとする課題】
【０００８】
そこで本発明は、パッドへの通電を安定的に行うことのできる低周波治療器、低周波治療器用の本体部、低周波治療器用のパッド、低周波治療器用のパッドとホルダの組み合わせを提供することを課題とする。
【課題を解決するための手段】
【０００９】
本発明は、使用者の身体に取り付けられ、使用者に低周波パルス電流を供給するパッドであって、パッド側電極部を有するパッドと、上記パッドを保持するホルダと、上記ホルダに取り付けられる本体部であって、上記パッド側電極部に対して導通されて低周波パルス電流を供給する本体部側電極部を有する本体部と、を備えた低周波治療器において、上記ホルダと上記本体部とは、両者間に上記パッドを位置させる所定間隔の隙間を空けて係合し、上記パッド側電極部と上記本体部側電極部とは、上記所定間隔の隙間にて当接することで上記導通がなされ、上記パッド側電極部と上記本体部側電極部とのうち少なくとも一方の電極部は、他方の電極部に対して接近及び離反方向に移動可能とされ、かつ、接近方向に付勢されており、上記一方の電極部は、上記移動可能な範囲の途中で上記導通がなされる低周波治療器である。
【００１０】
この構成によれば、パッド側電極部と本体部側電極部とのうち少なくとも一方の電極部は、接近及び離反方向における移動可能範囲の途中で、接近方向に付勢されつつ、他方の電極部に対して導通する。このため、もしホルダと本体部との係合に緩みが生じても、付勢された電極部はこの緩みに追随できる。つまり、導通が付勢によりサポートされることになるので、導通不良を抑制できる。
【００１１】
そして、上記本体部側電極部は、少なくとも一部が導体からなる電極体であって上記本体部の有するケースに対して出退可能な電極体と、上記電極体を上記ケースからの突出方向に付勢する電極付勢部と、を備えることもできる。
【００１２】
この構成によれば、電極付勢部により、電極体をパッド側電極部に対して直接付勢できる。よって、本体部側電極部を簡素な構成とできる。なお、この構成において電極体と電極付勢部とを一体に形成されたものとすることもできる。
【００１３】
そして、上記本体部側電極部は、先端部が上記パッド側電極部に対して当接することにより上記導通がなされ、上記パッド側電極部は面状の導体からなるものとできる。
【００１４】
この構成によれば、面状であるパッド側電極部が、付勢された本体部側電極部の先端部に当接することで導通がなされる。このため、安定的な導通が可能である。
【００１５】
そして、上記パッド側電極部は、上記パッドの他の部分よりも厚さが大きいものとできる。
【００１６】
この構成によれば、パッド側電極部がパッドの他の部分よりも厚さが大きいことにより、電極付勢部の付勢力が十分に働くため、本体部側電極部がパッド側電極部から離反しにくい。
【００１７】
そして、上記本体部は、上記ホルダに対して平面視にて回動させることで該ホルダから取り外すことができ、上記ホルダは、上記取り付けの状態にて上記本体部の回動を規制する回動規制部を備え、上記本体部が上記回動規制部により回動を規制された位置にある場合には上記導通がなされ、回動を規制された位置にない場合には、上記パッド側電極部と上記本体部側電極部とが離れることにより、上記導通がなされないこともできる。
【００１８】
この構成によれば、ホルダと本体部とが取り付け状態にある場合に限って導通がなされる。このため、正しい取り付けがなされていない場合にはパッドに通電しないため安全である。
【００１９】
そして、上記ホルダが不導体からなるものとできる。
この構成によれば、パッドを使用者の背中において背骨を跨ぐように配置した場合、背骨に不導体であるホルダを一致させるように配置できる。これにより、使用者の背骨及び脊髄に低周波パルス電流が流れることを抑制できる。よって、背骨及び脊髄が電流により損傷を受けることを抑制できるため、低周波治療器を安全に使用できる。
【００２０】
また、上記ホルダは、自身の上面で上記パッドを保持するパッド保持部と、上記パッド側電極部に対して上記本体部側電極部が配置される側とは反対側に配置され、上記パッド保持部に対して出退可能な押さえ部と、上記押さえ部を上記パッド保持部からの突出方向に付勢する付勢部と、を有することもできる。
【００２１】
この構成によれば、上記パッド側電極部が上記本体部側電極部に対して接近及び離反方向に移動可能とされ、かつ、接近方向に付勢されることとなるため、もしホルダと本体部との係合に緩みが生じても、付勢されたパッド側電極部はこの緩みに追随できる。つまり、導通が付勢によりサポートされることになるので、導通不良を抑制できる。なお、この構成において、上記本体部側電極部が上記パッド側電極部に対して接近及び離反方向に移動可能とされず、かつ、接近方向に付勢されていなくても構わない。当該構成であっても、上記パッド側電極部が上記本体部側電極部に対して接近及び離反方向に移動可能とされ、かつ、接近方向に付勢されることによって、導通がパッド側電極部の付勢によってサポートされることになるので、導通不良を抑制できる。あるいは上記の構成において、上記本体部側電極部が上記パッド側電極部に対して接近及び離反方向に移動可能とされ、かつ、接近方向に付勢されていても構わない。導通が本体部側電極部の付勢およびパッド側電極部の付勢によってサポートされることになるので、導通不良をより抑制できる。
【００２２】
また、本発明は、使用者の身体に取り付けられ、使用者に低周波パルス電流を供給するパッドであって、パッド側電極部を有するパッドと、上記パッドを保持するホルダと、を備えた低周波治療器で、上記ホルダに取り付けられる本体部であって、上記パッド側電極部に対して導通されて低周波パルス電流を供給する本体部側電極部を有する、低周波治療器用の本体部において、上記本体部は上記ホルダに対し、両者間に上記パッドを位置させる所定間隔の隙間を空けて係合し、上記本体部側電極部は上記パッド側電極部に対し、上記所定間隔の隙間にて当接することで上記導通がなされ、上記本体部側電極部は上記パッド側電極部に対して接近及び離反方向に移動可能とされ、かつ、接近方向に付勢されており、上記移動可能な範囲の途中で上記導通がなされる低周波治療器用の本体部である。
【００２３】
この構成によれば、パッド側電極部と本体部側電極部とのうち少なくとも一方の電極部は、接近及び離反方向における移動可能範囲の途中で、接近方向に付勢されつつ、他方の電極部に対して導通する。このため、もしホルダと本体部との係合に緩みが生じても、付勢された電極部はこの緩みに追随できる。つまり、導通が付勢によりサポートされることになるので、導通不良を抑制できる。
【００２４】
また、本発明は、使用者の身体に取り付けられ、使用者に低周波パルス電流を供給するパッドであって、パッド側電極部を有する、低周波治療器用のパッドにおいて、上記パッドはホルダにより保持され、上記ホルダには本体部が取り付けられ、上記本体部は、上記パッド側電極部に対して導通されて低周波パルス電流を供給する本体部側電極部を有し、上記ホルダと上記本体部とは、両者間に上記パッドを位置させる所定間隔の隙間を空けて係合し、上記パッド側電極部と上記本体部側電極部とは、上記所定間隔の隙間にて当接することで上記導通がなされ、上記パッド側電極部と上記本体部側電極部とのうち少なくとも一方の電極部は、他方の電極部に対して接近及び離反方向に移動可能とされ、かつ、接近方向に付勢されており、上記一方の電極部は、上記移動可能な範囲の途中で上記導通がなされ、上記本体部側電極部は、先端部が上記パッド側電極部に対して当接することにより上記導通がなされ、上記パッド側電極部は面状の導体からなる低周波治療器用のパッドである。
【００２５】
この構成によれば、面状であるパッド側電極部が、付勢された本体部側電極部の先端部に当接することで導通がなされる。このため、安定的な導通が可能である。
【００２６】
また、本発明は、使用者の身体に取り付けられ、使用者に低周波パルス電流を供給するパッドであって、パッド側電極部を有するパッドと、上記パッドを保持するホルダとからなる、低周波治療器用のパッドとホルダの組み合わせにおいて、上記ホルダには本体部が取り付けられ、上記本体部は、上記パッド側電極部に対して導通されて低周波パルス電流を供給する本体部側電極部を有し、上記ホルダと上記本体部とは、両者間に上記パッドを位置させる所定間隔の隙間を空けて係合し、上記パッド側電極部と上記本体部側電極部とは、上記所定間隔の隙間にて当接することで上記導通がなされ、上記パッド側電極部と上記本体部側電極部とのうち少なくとも一方の電極部は、他方の電極部に対して接近及び離反方向に移動可能とされ、かつ、接近方向に付勢されており、上記一方の電極部は、上記移動可能な範囲の途中で上記導通がなされ、上記本体部は、上記ホルダに対して平面視にて回動させることで該ホルダから取り外すことができ、上記ホルダは、上記取り付けの状態にて上記本体部の回動を規制する回動規制部を備え、上記パッド側電極部は、上記本体部が上記回動規制部により回動を規制された位置にある場合には上記導通がなされ、回動を規制された位置にない場合には、上記パッド側電極部と上記本体部側電極部とが離れることにより、上記導通がなされないように形成された、低周波治療器用のパッドとホルダの組み合わせである。
【００２７】
この構成によれば、ホルダと本体部とが取り付け状態にある場合に限って導通がなされる。このため、正しい取り付けがなされていない場合にはパッドに通電しないため安全である。
【００２８】
そして、上記ホルダが不導体からなるものとできる。
この構成によれば、パッドを使用者の背中において背骨を跨ぐように配置した場合、背骨に不導体であるホルダを一致させるように配置できる。これにより、使用者の背骨及び脊髄に低周波パルス電流が流れることを抑制できる。よって、背骨及び脊髄が電流により損傷を受けることを抑制できるため、低周波治療器を安全に使用できる。
【００２９】
また、上記ホルダは、自身の上面で上記パッドを保持するパッド保持部と、上記パッド側電極部に対して上記本体部側電極部が配置される側とは反対側に配置され、上記パッド保持部に対して出退可能な押さえ部と、上記押さえ部を上記パッド保持部からの突出方向に付勢する付勢部と、を有することもできる。
【００３０】
この構成によれば、上記パッド側電極部が上記本体部側電極部に対して接近及び離反方向に移動可能とされ、かつ、接近方向に付勢されることとなるため、もしホルダと本体部との係合に緩みが生じても、付勢されたパッド側電極部はこの緩みに追随できる。つまり、導通が付勢によりサポートされることになるので、導通不良を抑制できる。なお、この構成において、上記本体部側電極部が上記パッド側電極部に対して接近及び離反方向に移動可能とされず、かつ、接近方向に付勢されていなくても構わない。当該構成であっても、上記パッド側電極部が上記本体部側電極部に対して接近及び離反方向に移動可能とされ、かつ、接近方向に付勢されることによって、導通がパッド側電極部の付勢によってサポートされることになるので、導通不良を抑制できる。あるいは上記の構成において、上記本体部側電極部が上記パッド側電極部に対して接近及び離反方向に移動可能とされ、かつ、接近方向に付勢されていても構わない。導通が本体部側電極部の付勢およびパッド側電極部の付勢によってサポートされることになるので、導通不良をより抑制できる。
【発明の効果】
【００３１】
本発明は、もしホルダと本体部との係合に緩みが生じても、付勢された電極部はこの緩みに追随できるので、導通不良を抑制できる。よって、本体部からパッドへの通電を安定的に行うことができる。
【図面の簡単な説明】
【００３２】
【図１】本発明の一実施形態に係る低周波治療器を示す斜視図である。
【図２】同低周波治療器におけるホルダ及びパッドと本体部とを分離した状態を示す分解斜視図である。
【図３】同低周波治療器におけるホルダ及びパッドを示す平面図である。
【図４】（Ａ）は同低周波治療器におけるホルダの誘導係合部を示す要部縦断面図であり、（Ｂ）は同低周波治療器における本体部を示す要部縦断面図である。
【図５】同低周波治療器におけるホルダの誘導係合部を示す横断面斜視図である。
【図６】同低周波治療器におけるホルダと本体部との係合状態を示す要部縦断面図である。
【図７】同低周波治療器におけるホルダ及びパッドを示し、パッド側電極部を図３に示すものよりも狭い面積で形成したものを示す平面図である。
【図８】（Ａ）は同低周波治療器においてホルダに本体部が取り付けられた状態を示す平面図であり、（Ｂ）は同低周波治療器においてホルダから本体部を取り外す途中の状態を示す平面図である。
【図９】本発明の他の実施形態に係る低周波治療器における本体部側電極部を概略的に示す要部縦断面図である。
【図１０】本発明のさらに他の実施形態に係る低周波治療器において、ホルダ、パッドおよび本体部を分離した状態を示す分解斜視図である。
【図１１】本発明のさらに他の実施形態に係る低周波治療器に備えらえるホルダ（上面側から見た様子）を示す斜視図である。
【図１２】図１１中のＸＩＩ−ＸＩＩ線に沿った矢視断面図である。
【発明を実施するための形態】
【００３３】
次に、本発明につき、一実施形態を取り上げて説明を行う。なお、以下説明での上下方向は図１に示した状態の低周波治療器１における上下方向である。本実施形態の低周波治療器１はコードレスタイプであり、使用時に一体とされるパッド２、ホルダ３、本体部４を備え、これら各部を組み合わせて治療を行うことができる。
【００３４】
パッド２は、使用者の身体に取り付けられる部分である。このパッド２は、使用者に低周波パルス電流を供給する導電層２ａを備える。パッド２の身体側を向いた身体側部２１の表面（下面）にこの導電層２ａが露出している。使用者の身体へのパッド２の取り付けは、身体側部２１を、導電性のゲルＧ（図６参照）を介して使用者の皮膚に貼り付けることで行う。
【００３５】
パッド２は軟質合成樹脂製の基材（図示しない）の表面に、印刷により導体であるカーボン層を積層したものであり、このカーボン層が導電層２ａとなる。導電層２ａは、通電時の極性（＋極、−極）別に設けられている。なお、パッド２には極性を交互に転換させて通電することもあるので、＋極専用の導電層２ａと−極専用の導電層２ａが固定的に存在するのではなく、極性は可変的である。
【００３６】
パッド２は、図２及び図３に示すように、ホルダ３上に取り付けられる取付部２Ｘと、この取付部２Ｘから少なくとも一方に延び導電層２ａが露出した治療部２Ｙとを備える。本実施形態の治療部２Ｙは、取付部２Ｘから極性別に両方に延びている。また、治療部２Ｙにおける底面である身体側部２１のうち全表面に導電層２ａが露出している。
【００３７】
治療部２Ｙに比べて取付部２Ｘは絞られた形状である。つまり、取付部２Ｘの幅寸法は、治療部２Ｙの幅寸法よりも小さく形成されている。これにより、ホルダ３及び本体部４を小型にできる。また導電層２ａは、パッド２の取付部２Ｘにおける本体部を向いた面にも露出しており、この露出部分がパッド側電極部２２となる。つまり、パッド側電極部２２は面状の導体（本実施形態ではカーボン層）からなる。このパッド側電極部２２は、本体部側電極部４３との電気的接続のために形成されている。本実施形態では、取付部２Ｘにおける幅方向の一端に一方の極（例えば＋極）に対応した導電層２ａが露出し、他端に他方の極（例えば−極）に対応した導電層２ａが露出している。よって、パッド側電極部２２の導電層２ａはパッド２の外周部に露出している。パッド側電極部２２における導電層２ａの露出は、例えば、パッド２の一部の層を剥がすこと、パッド２を表裏折り返すこと、パッド２を厚み方向に重ね合わせることで実現できる。特にパッド２を表裏折り返すこと、または、パッド２を厚み方向に重ね合わせることにより、パッド側電極部２２を、パッド２の他の部分よりも厚さが大きいものとできる。このように、パッド側電極部２２をパッド２の他の部分よりも厚さが大きいものとした場合、本体部側電極部４３がパッド２の厚さ方向に付勢されているため、厚さが大きい分、パッド側電極部２２から離反しにくくなる。よって、安定的に導通できる。
【００３８】
ホルダ３はパッド２を保持する部分である。本実施形態では硬質樹脂製であり、両面粘着テープによりパッド２の取付部２Ｘを保持している。このホルダ３は、パッド２の取付部２Ｘを上面３１１で保持するパッド保持部３１と、パッド保持部３１の両端に位置する壁部３２とを備える。なお、パッド２の保持は両面粘着テープによるものに限定されず、例えばのりや接着剤によることもできる。
【００３９】
ホルダ３は硬質樹脂製であるから不導体である。このため、パッド２を使用者の背中において背骨を跨ぐように配置した場合、背骨に不導体であるホルダ３を一致させ、パッド２の治療部２Ｙが背骨に重ならないように配置できる。これにより、使用者の背骨及び脊髄に低周波パルス電流が流れることを抑制できる。よって、背骨及び脊髄が電流により損傷を受けることを抑制できるため、低周波治療器１を安全に使用できる。また、パッド２の取付部２Ｘにおいて、背骨に重なる部分を別途絶縁部材で覆う必要がないため、パッド２とホルダ３とが組み合わされたものの構成を簡素化できる。
【００４０】
図２に示すように、パッド保持部３１の上面にパッド２が重ねられる。パッド保持部３１には略コの字状の位置決め突起３１２が突出しており、パッド２において表裏方向に貫通した窓部２３の縁部を位置決め突起３１２に合わせることで、ホルダ３に対するパッド２の位置決めを行うことができる。
【００４１】
パッド２は消耗品であるので、交換の際等に、本体部４に対して着脱可能とされている。本実施形態では、ホルダ３がパッド２を保持することで両者が一体となっており、ホルダ３に対して本体部４を着脱するよう構成されている。パッド２の交換はホルダ３ごと行われる。
【００４２】
本体部４は、ホルダ３に取り付けられることで、パッド２の導電層２ａに低周波パルス電流を供給する部分である。本体部４の内部には電池等の電源部、及び、所望の低周波パルス電流を形成するための電気回路（基板）が配置され、外部にはスイッチ類や表示部が設けられている（一部を除き図示しない）。図４（Ｂ）に示すように、本体部４のケース４ａにおける、ホルダ３に正対する面である下面４２からは本体部側電極部４３が電極付勢部４３２の発する下方への付勢力Ｐ（図６参照）により付勢された状態で突出している。この本体部側電極部４３は極性別に設けられている。
【００４３】
本体部側電極部４３は、少なくとも一部が導体からなり、上記本体部の有するケースに対して出退可能な電極体４３１と、この電極体４３１をケースからの突出方向に付勢する電極付勢部４３２とを備える。本実施形態の電極体４３１は、全体が金属により形成された略円筒状のものである。また電極体４３１は、径方向に突出した鍔部４３１１を有し、鍔部４３１１がケースに当接すること（本実施形態ではＯリング４３１２越しに当接する）により、電極体４３１のケースから下方への突出が規制されている。この規制された位置から上方の範囲が本体部側電極部４３の移動可能な範囲である。本体部側電極部４３は、図３、図６に示すように、先端部（より詳しくは電極体４３１の先端部）がパッド側電極部２２に対して当接することにより導通がなされる。
【００４４】
このように本体部側電極部４３は、電極付勢部４３２により、電極体４３１をパッド側電極部２２に対して直接付勢できる。よって、本体部側電極部４３を簡素な構成とできる。また、前述のようにパッド側電極部２２は面状の導体からなるので、図６に示すように、面状であるパッド側電極部２２が電極付勢部４３２の発する下方への付勢力Ｐにより付勢された本体部側電極部４３に当接することで導通がなされる。このため、安定的な導通が可能である。
【００４５】
本実施形態における本体部側電極部４３は、パッド側電極部２２に対して接近及び離反方向に移動可能とされ、かつ、接近方向に付勢されている。そして本体部側電極部４３は、図６に示すように、上記移動可能な範囲の途中でパッド側電極部２２に対して当接することで導通がなされる。この構成により、本体部側電極部４３の電極体４３１は、接近及び離反方向における移動可能範囲の途中で、接近方向への付勢力Ｐにより付勢されつつ、パッド側電極部２２に対して導通する。このため、もしホルダ３と本体部４との係合に緩みが生じても、付勢力Ｐの付勢された本体部側電極部４３はこの緩みに追随できる。つまり、導通が付勢によりサポートされることになるので、導通不良を抑制できる。
【００４６】
ホルダ３及び本体部４には、ホルダ３に対して本体部４を重ねて取り付けた状態では係合し、取り外した状態では当該係合が解除するよう構成された誘導係合部５が形成されている。この誘導係合部５は、ホルダ３と本体部４の両者を係合すると共に、両者の取り付け・取り外しの際にホルダ３に対する本体部４の移動方向を規制する。具体的に、この誘導係合部５は、両者の取り付けの際には、両者が図２に矢印で示す正対方向（下方向）Ｄ１に移動して係合に至る。そして、両者の取り外しの際には、図８（Ａ）に示すように、ホルダ３に対して本体部４が上記正対方向Ｄ１に交わる方向（横方向）Ｄ２に移動することで、図８（Ｂ）に示すように、両者の係合が解除されるよう形成されている。なお、この取り外しの際には、上記取り付けの際の移動方向と逆方向（上方向）への移動は不可能とされている。また、本実施形態では、つまり、平面視における反時計方向である方向Ｄ２とは反対の方向である時計方向に本体部４を移動させても、ホルダ３と本体部４との係合が解除される。このように、横方向の両方向に本体部４を移動させて係合解除できるよう構成でき、また、横方向の一方向にのみ本体部４を移動させて係合解除できるよう構成できる。
【００４７】
本実施形態における誘導係合部５は、図２に示すように、本体部４の長手方向両側の各側面４１に形成された突起である本体部側突起５１と、ホルダ３に形成され本体部側突起５１が嵌る溝部５２とを備える。この構成では、誘導係合部５を凹凸嵌合により構成できるので、構成を簡素化できる。
【００４８】
ホルダ３における壁部３２は、パッド保持部３１の長手方向両端であり、本体部４を正対方向Ｄ１に交わる方向に挟む両側（パッド２の幅方向両端側）に位置している。この壁部３２は、取り外しの際における本体部４の回動を許容するように内側が湾曲形状とされている。図４（Ａ）に示すように、壁部３２の内面には、上記溝部５２として縦溝部５２１と横溝部５２２とが形成されている。縦溝部５２１は、ホルダ３と本体部４との正対方向Ｄ１である縦方向に形成され、上方が開口している。横溝部５２２は、上記縦方向に交わる（本実施形態では直交する）横方向に形成され、横方向の少なくとも一方の端部が開口している。本実施形態では縦溝部５２１と横溝部５２２とが直交している。また、本実施形態の横溝部５２２は横方向の両端とも開口している。
【００４９】
そして横溝部５２２には、図８（Ａ）に示すように、ホルダ３に対して本体部４を重ねて取り付けた状態から、ホルダ３に対して、例えば横方向Ｄ２に本体部４を回動させることを制限する、回動規制部としてのストッパー突起５２２１，５２２１が形成されている。これらストッパー突起５２２１，５２２１は、図５に示すように、本体部側突起５１を挟む横方向両側に位置している。各ストッパー突起５２２１に対し、移動させられようとする本体部側突起５１は当接する。この当接により、本体部４の係合解除される方向への移動が制限される。本実施形態では、横方向の両方向に本体部４を移動させて係合解除できるので、ストッパー突起５２２１が２箇所に形成されているが、横方向の一方向にのみ本体部４を移動させて係合解除できるよう構成した場合は、ストッパー突起５２２１を１箇所にだけ形成すればよい。
【００５０】
図６に示すように、ホルダ３（上面３１１）と本体部４（下面４２）とは、上記取り付けの状態にて所定間隔の隙間ＣＬを有する。この隙間ＣＬは、ホルダ３（上面３１１）と本体部４（下面４２）との間にパッド２を位置させることのできる、上下方向の間隔を有する。パッド側電極部２２と本体部側電極部４３とは、この所定間隔の隙間ＣＬにて当接することで導通がなされる。
【００５１】
図８（Ａ）に示す状態から図８（Ｂ）に示す状態に至るように、本体部４はホルダ３に対して平面視にて回動させることでホルダ３から取り外すことができる。前述のように、ホルダ３はストッパー突起５２２１，５２２１を備える。
【００５２】
特に、図７に示すように、パッド側電極部２２を図３に示すものに比べて狭い面積で形成すると、図８（Ａ）に示すように、本体部４がストッパー突起５２２１により回動を規制された位置にある場合には、パッド側電極部２２と本体部側電極部４３との間で導通がなされ、例えば図８（Ｂ）に示すように、回動を規制された位置にない場合には、パッド側電極部２２（一方側のみ破線で図示）と本体部側電極部４３とが離れることにより、上記導通がなされないようにできる。この図７に示すような形状でパッド側電極部２２を形成した場合、ホルダ３と本体部４とが取り付け状態にある場合に限って導通がなされるため、本体部４の正しい取り付けがなされていない場合にはパッド２に通電しないため安全である。
【００５３】
このように、パッド側電極部２２は、本体部４のホルダ３に対する係合状態における本体部側電極部４３の移動可能範囲に対応して寸法設定されることができる。つまり、パッド側電極部２２は、係合状態において、上記ストッパー突起５２２１，５２２１によって決まる、ホルダ３に対する本体部４の遊びの範囲に対応する本体部側電極部４３の移動可能範囲に略一致した寸法とできる。これにより、前述のように係合状態でないとパッド側電極部２２と本体部側電極部４３とが導通しなくなるので、ホルダ３に対する本体部４の取り付けが正しくなされていない場合や、ホルダ３に対して本体部４がずれてしまった場合に治療を行うことができないので安全である。また、正しく本体部４を取り付けることを使用者に促すことができる。
【００５４】
以上、本発明の実施形態を説明したが、本発明は上記実施形態に限定されるものではなく、本発明の要旨を逸脱しない範囲内において種々の変更を加えることができる。
【００５５】
例えば、パッド２は極性別に分離して形成されていてもよい。また、上記実施形態では、本体部側電極部４３との電気的接続のために形成されている導電層２ａの露出部分が、取付部２Ｘにおける幅方向の両端に位置していたが、これに限定されず、取り付け時の本体部４と重なる限り、幅方向中央等の他の位置であってもよい。また、上記実施形態とは逆に、ホルダ３に突起が形成され、本体部４に溝部が形成されていてもよい。
【００５６】
また、本体部側電極部４３を、電極体４３１と電極付勢部４３２とが一体に形成されたものとすることもできる。例えば図９に示す実施形態では、本体部側電極部４３が板ばね状に形成され、先端側が電極体４３１、基端側が電極付勢部４３２とされている。電極付勢部４３２が本体部４におけるケース４ａに固定されている。この実施形態では、主に電極付勢部４３２の発する付勢力により電極体４３１を本体部４の下面４２から下方に突出させることができる。また、本体部側電極部４３を板ばね状以外（例えばコイルばね状等）の種々の形状に形成することもできる。
【００５７】
また、上記実施形態における本体部側電極部４３は、パッド側電極部２２に対して接近及び離反方向に移動可能とされ、かつ、接近方向に付勢されている。ただし、これに限定されず、パッド側電極部２２が本体部側電極部４３に対して接近及び離反方向に移動可能とされ、かつ、接近方向に付勢されるよう構成することもできる。このように構成するには、例えば、本体部４に向けて付勢力を発生させる付勢部をホルダ３に形成し、このホルダ３の付勢力をホルダ３に取り付けられるパッド２に及ぼすことで実現できる。
【００５８】
図１０〜図１２を参照して、パッド側電極部２２が本体部側電極部４３に対して接近及び離反方向に移動可能とされ、かつ、接近方向に付勢されるという構成について、実施の形態のさらに他の構成として、以下、より具体的に説明する。すなわち、図１０に示す低周波治療器１Ｂは、パッド２Ｂ、ホルダ３Ｂ、本体部４Ｂを備える。
【００５９】
図１０に示す低周波治療器１Ｂと上述の実施の形態における低周波治療器１とは、以下の点において相違している。なお、低周波治療器１Ｂの構成のうち、低周波治療器１と同一の部品および相当部品には低周波治療器１と同一の参照番号を付し、重複する説明は繰り返さないものとする。
【００６０】
低周波治療器１Ｂに備えられる本体部４Ｂは、ホルダ３Ｂに正対する面である下面４２を有しており、下面４２の表面上に、一対の本体部側電極部４３が設けられている。この本体部側電極部４３は、上述の実施の形態の場合とは異なり、平坦な面形状を有している。本体部側電極部４３は、パッド側電極部２２に対して接近及び離反方向に移動可能とされず、かつ、接近方向に付勢されてもいない。本体部４Ｂの下面４２の中央には、円柱状の挿入部５３が下面４２から垂れ下がるように設けられている。挿入部５３の外周面上には、本体部側突起５１が突出して設けられている。
【００６１】
低周波治療器１Ｂに備えられるパッド２Ｂには、パッド２Ｂを表裏方向に貫通する円形状の窓部２３が設けられている。窓部２３は、本体部４Ｂに設けられた挿入部５３および本体部側突起５１の挿通を許容する大きさを有している。本体部４Ｂがパッド２Ｂおよびホルダ３Ｂに組み付けられる際、挿入部５３および本体部側突起５１は、窓部２３を通して、ホルダ３Ｂの貫通孔３５（後述する）の内側に差し込まれる（矢印Ｄ３）。
【００６２】
低周波治療器１Ｂに備えられるホルダ３Ｂは、パッド保持部３１を有している。ホルダ３Ｂは、上述のホルダ３（図２等参照）の場合とは異なり、壁部３２（図２等参照）を有していない。パッド保持部３１は、全体として略板状の形状を有しており、パッド２Ｂの取付部２Ｘを、パッド保持部３１の（自身の）上面３１１で保持することができる。パッド保持部３１の中央には、貫通孔３５が設けられている。
【００６３】
パッド保持部３１の上面３１１のうち、貫通孔３５の周囲に位置する部分３６は、上面３１１から環状に隆起している（図１１も参照）。パッド２Ｂの窓部２３の内周縁部を、この環状に隆起した部分３６に合わせることで、ホルダ３Ｂに対するパッド２Ｂの位置決めを行うことができる。
【００６４】
図１１は、ホルダ３Ｂ（上面側から見た様子）を示す斜視図である。図１２は、図１１中のＸＩＩ−ＸＩＩ線に沿った矢視断面図である。図１１および図１２に示すように、ホルダ３Ｂの貫通孔３５の内側には、本体部側突起５１（図１０）が嵌る溝部５２が設けられている。溝部５２は、縦溝部５２１と横溝部５２２とを含んでいる。縦溝部５２１は、ホルダ３Ｂと本体部４Ｂとの正対方向Ｄ１（図１０）である縦方向に形成されている。横溝部５２２は、上記縦方向に交わる（ここでは直交する）横方向に形成され、横方向の一方の端部が開口している。横溝部５２２の上方には、径方向の内側に向かって突出する庇部５４が設けられている。
【００６５】
横溝部５２２には、ストッパー突起５２２１と壁部５２２２とが形成されている。ストッパー突起５２２１は、横溝部５２２の開口が形成されている側に位置し、壁部５２２２は、その反対側に位置している。ストッパー突起５２２１および壁部５２２２は、回動規制部として機能する。
【００６６】
本体部４Ｂの挿入部５３（図１０）をホルダ３Ｂの貫通孔３５に差し込み、本体部４Ｂをホルダ３Ｂに対して矢印Ｄ２方向（図１１参照）に回動させる。これにより、本体部側突起５１（図１０）は、ストッパー突起５２２１と壁部５２２２との間（庇部５４の下方）に配置され、ホルダ３Ｂに対して本体部４Ｂが取り付けられる。
【００６７】
ストッパー突起５２２１および壁部５２２２に対し、回転方向に移動させられようとする本体部側突起５１は当接する。この当接により、本体部４Ｂの係合が解除される方向への移動は制限される。また、横溝部５２２の上方に設けられている庇部５４に本体部側突起５１が係合していることで、本体部４Ｂがホルダ３Ｂから離間する方向への移動は制限されている。この状態で、ストッパー突起５２２１および壁部５２２２は、矢印Ｄ２の反対方向に本体部４Ｂがホルダ３Ｂに対して回動することを規制している。
【００６８】
さらに、貫通孔３５の内側には、片持ち梁の形状を有し、周方向に延びる一対の保持片５５も設けられている。保持片５５は、周方向に延びる板ばね部５５ａと、板ばね部５５ａの先端に設けられ、径方向の内側に向かって突出する形状を有する突起部５５ｂとを備えている。本体部４Ｂの挿入部５３（図１０）をホルダ３Ｂの貫通孔３５に差し込んだ際、一対の保持片５５が本体部４Ｂの挿入部５３を挟持することで、本体部４Ｂはホルダ３Ｂに対して回動し難くなり、ひいては本体部４Ｂをホルダ３Ｂからより抜けにくくすることが可能となっている。
【００６９】
そして、ホルダ３Ｂには、押さえ部３３ａおよび付勢部３３ｂが設けられている。押さえ部３３ａおよび付勢部３３ｂは、これらの周囲に切り欠き３３ｃが設けられていることで、全体として板ばね状に構成されている。先端側が押さえ部３３ａとされ、基端側が付勢部３３ｂとされている。付勢部３３ｂが、ホルダ３Ｂにおけるパッド保持部３１に固定されている。
【００７０】
押さえ部３３ａは、パッド側電極部２２に対して、本体部側電極部４３が配置される側とは反対側に配置される。押さえ部３３ａは、パッド側電極部２２の裏面に当接するように配置され、パッド側電極部２２に対して出退可能である。付勢部３３ｂは、押さえ部３３ａをパッド保持部３１の上面３１１から上方に向かって突出方向に付勢する。すなわち、本体部４Ｂ、パッド２Ｂおよびホルダ３Ｂが互いに組み付けられた状態では（図１０中の矢印Ｄ１，Ｄ４参照）、押さえ部３３ａおよび付勢部３３ｂによって、パッド側電極部２２が本体部側電極部４３（図１０）に対して接近及び離反方向に移動可能とされ、かつ、接近方向に付勢されることとなる。
【００７１】
この構成によれば、もしホルダ３Ｂと本体部４Ｂとの係合に緩みが生じても、付勢されたパッド側電極部２２はこの緩みに追随できる。つまり、パッド側電極部２２と本体部側電極部４３との導通が付勢によりサポートされることになるので、導通不良を抑制できる。この構成において、本体部側電極部４３がパッド側電極部２２に対して接近及び離反方向に移動可能とされず、かつ、接近方向に付勢されていなくても構わない。当該構成であっても、パッド側電極部２２が本体部側電極部４３に対して接近及び離反方向に移動可能とされ、かつ、接近方向に付勢されることによって、導通がパッド側電極部２２の付勢によってサポートされることになるので、導通不良を抑制できる。あるいは上記の構成において、本体部側電極部４３がパッド側電極部２２に対して接近及び離反方向に移動可能とされ、かつ、接近方向に付勢されていても構わない。導通が本体部側電極部４３の付勢およびパッド側電極部２２の付勢によってサポートされることになるので、導通不良をより抑制できる。
【００７２】
以上、実施の形態について説明したが、上記の開示内容はすべての点で例示であって制限的なものではない。本発明の技術的範囲は特許請求の範囲によって示され、特許請求の範囲と均等の意味および範囲内でのすべての変更が含まれることが意図される。
【符号の説明】
【００７３】
１，１Ｂ  低周波治療器、２，２Ｂ  パッド、２Ｘ  取付部、２Ｙ  治療部、２ａ  導電層、３，３Ｂ  ホルダ、４，４Ｂ  本体部、４ａ  ケース、５  誘導係合部、２１  身体側部、２２  パッド側電極部、２３  窓部、３１  パッド保持部、３２  壁部、３３ａ  押さえ部、３３ｂ  付勢部、３５  貫通孔、３６  部分、４１  側面、４２  下面、４３  本体部側電極部、５１  本体部側突起、５２  溝部、５３  挿入部、５４  庇部、５５  保持片、５５ａ  板ばね部、５５ｂ  突起部、３１１  上面、３１２  位置決め突起、４３１  電極体、４３２  電極付勢部、５２１  縦溝部、５２２  横溝部、４３１１  鍔部、４３１２  Ｏリング、５２２１  ストッパー突起（回動規制部）、５２２２  壁部（回動規制部）、ＣＬ  隙間。 
【図１】
0006717087.tif 000002
【図２】
0006717087.tif 000003
【図３】
0006717087.tif 000004
【図４】
0006717087.tif 000005
【図５】
0006717087.tif 000006
【図６】
0006717087.tif 000007
【図７】
0006717087.tif 000008
【図８】
0006717087.tif 000009
【図９】
0006717087.tif 000010
【図１０】
0006717087.tif 000011
【図１１】
0006717087.tif 000012
【図１２】
0006717087.tif 000013